(57)【要約】      （修正有）【課題】家具本体の底部に着脱自在として、必要なときのみ取り付けて使用することができるアジャスターを提供する。【解決手段】スチール製の家具の前後面の下端に設けた折曲片間に入り込めるようにした凸条枠部４を有し、この凸条枠部の下端に、折曲片に当接する前後フランジ５ａ、５ｂ、及び家具の左右側面の下端に設けた折曲片に当接する左右フランジ５ｃ、５ｄを形成したアジャスター本体１と、このアジャスター本体の凸条枠部４の両端部の裏面であって、家具の底上げ底面に設けた工具挿入孔に対応する位置に設けた固定ナットに螺着自在としたネジ軸の下端に接地部を設けたアジャスターボルト２と、アジャスター本体の凸条枠部の中間部において、家具の左右側面の折曲片に係脱自在となるようにした係止爪体３とからなる。【選択図】図１
0003189585.tif 000002
【実用新案登録請求の範囲】
【請求項１】
スチール製の家具（Ｆ）の前後面（１１ａ、１１ｂ）の下端に設けた折曲片（１２、１２）間に入り込めるようにした凸条枠部（４）を有し、この凸条枠部（４）の下端に、前記折曲片（１２、１２）に当接する前後フランジ（５ａ、５ｂ）、及び前記家具（Ｆ）の左右側面（１１ｃ、１１ｄ）の下端に設けた折曲片（１２、１２）に当接する左右フランジ（５ｃ、５ｄ）を形成したアジャスター本体（１）と、このアジャスター本体（１）の凸条枠部（４）の両端部の裏面であって、前記家具（Ｆ）の底上げ底面（１１ｅ）に設けた工具挿入孔（１３）に対応する位置に設けた固定ナット（Ｎ）に螺着自在としたネジ軸（２ａ）の下端に接地部（２ｂ）を設けたアジャスターボルト（２）と、前記アジャスター本体（１）の凸条枠部（４）の中間部において、前記家具（Ｆ）の左右側面（１１ｃ、１１ｄ）の折曲片（１２）に係脱自在となるようにした係止爪体（３）とからなることを特徴とするアジャスター。
【請求項２】
前記折曲片（１２）は、底面（１２ａ）と、この底面（１２ａ）の一端から立ち上げた垂直面（１２ｂ）とからなる断面略Ｌ字状に形成したものとし、前記凸条枠部（４）は、天面（４ａ）と、この天面（４ａ）の両端から垂れ下げた垂下面（４ｂ、４ｂ）からなる断面略コ字状に形成したものとしていることを特徴とする請求項１記載のアジャスター。
【請求項３】
前記係止爪体（３）は、水平片（３ａ）の左右端に傾斜片（３ｂ）を介して係止爪（３ｃ）を設けたものとし、水平片（３ａ）の前後端に取付爪（３ｄ）を設けたものとしていることを特徴とする請求項２記載のアジャスター。
【請求項４】
前記係止爪体（３）は、前記アジャスター本体（１）の凸条枠部（４）の中間部において、この凸条枠部（４）の天面（４ａ）に形成した取付孔（７）に、その取付爪（３ｄ）を引っ掛けて取り付け、凸条枠部（４）の天面（４ａ）の左右端から垂下面（４ｂ、４ｂ）の上端にかけて形成した落し孔（８）に傾斜片（３ｂ）を落し込み、凸条枠部（４）の垂下面（４ｂ、４ｂ）と係止爪体（３）の係止爪（３ｃ）との間に、前記家具（Ｆ）の左右側面（１１ｃ、１１ｄ）の折曲片（１２）の垂直面（１２ｂ）が入り込むようにしていることを特徴とする請求項３に記載のアジャスター。
【考案の詳細な説明】
【技術分野】
【０００１】
この考案は、事務所で使用する書類整理棚、ロッカー等のユニット家具、その他家具類のアジャスターに関するものである。
【背景技術】
【０００２】
従来、この種のアジャスターとしては、家具本体の底部に最初から取り付けられているものが存在する。例えば図１２に示したように、家具であるデスク２１の底部２１ａにおける四隅にアジャスターベース２２を装着し、それらのアジャスターベース２２に接地部２３ａを有するアジャスター本体２３を上下位置調整可能に保持させるようにしている。そして、デスク２１の底部２１ａに、下方に向けて開口する凹部２４、２５を設けるとともに、アジャスターベース２２にそれらの凹部２４、２５に旋回不能に嵌合する嵌合部２２ａを設けておき、この嵌合部２２ａに設けた弾性折曲片２２ｂをそれらの凹部２４、２５に設けた開口窓２４ａ、２５ａに係合させて抜止用の凹凸係合部２６、２７を形成するようにしている（特許文献１）。
【０００３】
さらに、この種のアジャスターとしては、家具本体の底部に別体として備えられたベース体に最初から取り付けられているものが存在する。例えば図１３、１４に示したように、書類整理棚等の収納庫３１のベース体３２は、矩形の枠体３３と、この枠体内に配設固定されたアジャスター取付枠（図示せず）とを有している。前記枠体３３は断面略コ字状の前枠３４および後枠３５と、前後端部がそれぞれ前枠と後枠の左右両端の凹部内に嵌合し固着された左右の側枠３６、３７とからなる。そして、アジャスターボルト３８は、アジャスター取付枠の左右両端近傍に取り付けられる。前枠３４および後枠３５の上面部にはアジャスターボルト３８の上端部の工具係合部に係合可能な工具を通す工具挿通孔３９ａ、４０ａと、収納庫３１をベース体３２に固定するためのねじを通すねじ挿通孔３９ｂ、４０ｂとが形成されている（特許文献２）。
【先行技術文献】
【特許文献】
【０００４】
【特許文献１】特開平６ー２３７８２９号公報
【特許文献２】実開平７ー２７３４５号公報
【考案の概要】
【考案が解決しようとする課題】
【０００５】
上記特許文献１、２に示された従来のアジャスターは、家具本体の底部か、家具本体の底部に別体として備えられたベース体かの違いはあるが、何れもこれらに最初から取り付けられている。
【０００６】
しかしながら、家具の設置場所によっては、設置面が平坦であったり、設置面にカーペット等が予め敷かれていたりすると、アジャスターが不要であったり、アジャスターが最初から取り付けられていると却って邪魔になったりするという課題を有していた。
【０００７】
そこで、この考案は、上記従来のアジャスターが有する課題を解決することを目的としており、家具本体の底部に着脱自在として、必要なときのみ取り付けて使用することができるアジャスターを提供することを目的としてなされたものである。
【課題を解決するための手段】
【０００８】
そのため、この考案のアジャスターは、スチール製の家具Ｆの前後面１１ａ、１１ｂの下端に設けた折曲片１２、１２間に入り込めるようにした凸条枠部４を有し、この凸条枠部４の下端に、前記折曲片１２、１２に当接する前後フランジ５ａ、５ｂ、及び前記家具Ｆの左右側面１１ｃ、１１ｄの下端に設けた折曲片１２、１２に当接する左右フランジ５ｃ、５ｄを形成したアジャスター本体１と、このアジャスター本体１の凸条枠部４の両端部の裏面であって、前記家具Ｆの底上げ底面１１ｅに設けた工具挿入孔１３に対応する位置に設けた固定ナットＮに螺着自在としたネジ軸２ａの下端に接地部２ｂを設けたアジャスターボルト２と、前記アジャスター本体１の凸条枠部４の中間部において、前記家具Ｆの左右側面１１ｃ、１１ｄの折曲片１２に係脱自在となるようにした係止爪体３とからなるものとしている。
【０００９】
そして、この考案のアジャスターにおいて、前記折曲片１２は、底面１２ａと、この底面１２ａの一端から立ち上げた垂直面１２ｂとからなる断面略Ｌ字状に形成したものとし、前記凸条枠部４は、天面４ａと、この天面４ａの両端から垂れ下げた垂下面４ｂ、４ｂからなる断面略コ字状に形成したものとしている。
【００１０】
さらに、この考案のアジャスターにおいて、前記係止爪体３は、水平片３ａの左右端に傾斜片３ｂを介して係止爪３ｃを設けたものとし、水平片３ａの前後端に取付爪３ｄを設けたものとしている。
【００１１】
また、この考案のアジャスターにおいて、前記係止爪体３は、前記アジャスター本体１の凸条枠部４の中間部において、この凸条枠部４の天面４ａに形成した取付孔７に、その取付爪３ｄを引っ掛けて取り付け、凸条枠部４の天面４ａの左右端から垂下面４ｂ、４ｂの上端にかけて形成した落し孔８に傾斜片３ｂを落し込み、凸条枠部４の垂下面４ｂ、４ｂと係止爪体３の係止爪３ｃとの間に、前記家具Ｆの左右側面１１ｃ、１１ｄの折曲片１２の垂直面１２ｂが入り込むようにしている。
【考案の効果】
【００１２】
この考案のアジャスターは、以上に述べたように構成されているので、家具本体の底部に着脱自在として、必要なときのみ取り付けることができるものとなり、実用性に優れたものとなった。
【図面の簡単な説明】
【００１３】
【図１】この考案のアジャスターの一実施形態を示す平面図である。
【図２】この考案のアジャスターの一実施形態を示す側面図である。
【図３】図２中の円で囲んだ部分の拡大図である。
【図４】図１中のＡ−Ａ線断面図である。
【図５】この考案のアジャスターの一端部の分解斜視図である。
【図６】この考案のアジャスターの中間部の分解斜視図である。
【図７】この考案のアジャスターの家具の底部への取り付け途中状態を示す説明図である。
【図８】この考案のアジャスターの家具の底部への取り付け完了状態を示す説明図である。
【図９】図８中のＢ−Ｂ線断面図である。
【図１０】図８中のＣ−Ｃ線断面図である。
【図１１】この考案のアジャスターのアジャスターボルトを廻し家具のレベル調整を行なっている状態を示す説明図である。
【図１２】従来のアジャスターの一例を示す家具の底部への取付状態を示す説明図である。
【図１３】従来のアジャスターの他例を取り付けたベース体付き家具の分解斜視図である。
【図１４】従来のアジャスターの他例の家具のベース体への取付状態を示す説明図である。
【考案を実施するための形態】
【００１４】
以下、この考案のアジャスターを実施するための形態を、図面に基づいて詳細に説明する。
【００１５】
この考案のアジャスターは、スチール製の家具Ｆの底部Ｂに着脱自在として取り付けられるものとしており、アジャスター本体１とアジャスターボルト２と係止爪体３とからなる。
【００１６】
アジャスター本体１は、前記家具Ｆの前後面１１ａ、１１ｂの下端に設けた折曲片１２、１２間に入り込めるようにした凸条枠部４を有し、図１〜３に示したように、この凸条枠部４の下端に、前記折曲片１２、１２に当接する前後フランジ５ａ、５ｂ、及び前記家具Ｆの左右側面１１ｃ、１１ｄの下端に設けた折曲片１２、１２に当接する左右フランジ５ｃ、５ｄを形成したものとしている。前記折曲片１２は、底面１２ａと、この底面１２ａの一端から立ち上げた垂直面１２ｂとからなる断面略Ｌ字状に形成したものとしている（図９、１０参照）。前記凸条枠部４は、天面４ａと、この天面４ａの両端から垂れ下げた垂下面４ｂ、４ｂからなる断面略コ字状に形成したものとしている。
【００１７】
そして、前記アジャスター本体１の凸条枠部４の前後端の上部には、前記折曲片１２、１２の垂直面１２ｂの上端に引っ掛けておくための掛け片６、６を突設している。また、前記凸条枠部４は、その幅を後に述べるアジャスターボルト２の接地部２ｂが余裕を持って入り込む寸法としており、その長さを前記折曲片１２、１２間に入り込めるように、この折曲片１２、１２間の距離より少し短くした寸法にしている。
【００１８】
アジャスターボルト２は、図３、５に示したように、前記アジャスター本体１の凸条枠部４の両端部の裏面であって、前記家具Ｆの底上げ底面１１ｅに設けた工具挿入孔１３に対応する位置に設けた固定ナットＮに螺着自在としたネジ軸２ａの下端に接地部２ｂを設けたものとしている。さらに、前記ネジ軸２ａの上端には、アジャスターボルト２を家具Ｆに対して上下方向に移動させて家具Ｆの接地状態を調整するドライバー等の工具Ｔの係合部（十字溝等）２ｃを設けたものとしている。なお、前記底上げ底面１１ｅは、前記家具Ｆの折曲片１２から所定の距離をおいて、この折曲片１２の上方に位置したものとしている。
【００１９】
係止爪体３は、図４、６に示したように、水平片３ａの左右端に傾斜片３ｂを介して係止爪３ｃを設けたものとし、水平片３ａの前後端に取付爪３ｄを設けたものとしている。なお、前記水平片３ａの上面には補強用のリブ３ｅが設けられている。このようにした係止爪体３は、前記アジャスター本体１の凸条枠部４の中間部において、前記家具Ｆの左右側面１１ｃ、１１ｄの折曲片１２に係脱自在となるようにしている。すなわち、前記係止爪体３は、前記アジャスター本体１の凸条枠部４の中間部において、この凸条枠部４の天面４ａに形成した取付孔７に、その取付爪３ｄを引っ掛けて取り付け、凸条枠部４の天面４ａの左右端から垂下面４ｂ、４ｂの上端にかけて形成した落し孔８に傾斜片３ｂを落し込み、凸条枠部４の垂下面４ｂ、４ｂと係止爪体３の係止爪３ｃとの間に、前記家具Ｆの左右側面１１ｃ、１１ｄの折曲片１２の垂直面１２ｂが入り込むようにしている。
【００２０】
以上のように構成したこの考案のアジャスターを家具Ｆの底部Ｂに取り付けるには、次のようにして行なう。
【００２１】
先ず、この考案のアジャスターを二つ用意し、家具Ｆを横に倒してから、一方のアジャスターのアジャスター本体１を手に持って、図７に示したように、家具Ｆの底部Ｂに斜めにして差し込み、図９に示したように、アジャスター本体１の一端の掛け片６を、家具Ｆの後面１１ｂの折曲片１２の垂直面１２ｂに引っ掛けると共に、アジャスター本体１の他端の掛け片６を、家具Ｆの前面１１ａの折曲片１２の垂直面１２ｂに引っ掛ける。
【００２２】
そして、手に持ったままのアジャスター本体１を家具Ｆの右側面１１ｄの方へ寄せる。すると、アジャスター本体１に設けた係止爪体３の係止爪３ｃが家具Ｆの右側面１１ｄの折曲片１２の垂直面１２ｂを乗り越え、この係止爪３ｃとアジャスター本体１の垂下面４ｂとの間に、前記折曲片１２の垂直面１２ｂが入り込むので、この垂直面１２ｂが係止爪３ｃで係止された状態で、一方のアジャスターが家具Ｆの底部Ｂの右側端部に取り付けられる。
【００２３】
次に、もう一方のアジャスターのアジャスター本体１を手に持って、図７に示したのと同様にし、今度は手に持ったままのアジャスター本体１を家具Ｆの左側面１１ｃの方へ寄せて、前記したアジャスターと同様にして、図８に示したように、もう一方のアジャスターを家具Ｆの底部Ｂの左側端部に取り付ける。
【００２４】
このようにすると、双方のアジャスターのアジャスター本体１の凸条枠部４は、前記折曲片１２、１２間に入り込み、この凸条枠部４の前後フランジ５ａ、５ｂは、家具Ｆの前後面１１ａ、１１ｂの折曲片１２の底面１２ａに当接することになり、一方のアジャスターのアジャスター本体１の凸条枠部４の左フランジ５ｃは、家具Ｆの左右側面１１ｃ、１１ｄの何れか一方の折曲片１２の底面１２ａに当接することになり、もう一方のアジャスターのアジャスター本体１の凸条枠部４の右フランジ５ｄは、家具Ｆの左右側面１１ｃ、１１ｄの何れか他方の折曲片１２の底面１２ａに当接することになる。
【００２５】
そして、横に倒した家具Ｆを起こして、図１１に示したように、家具Ｆの底上げ底面１１ｅに設けた工具挿入孔１３からドライバー等の工具Ｔを差し込んで、その工具Ｔの先端をアジャスターボルト２の係合部２ｃに係合させ、正逆回転させれば、アジャスターボルト２が家具Ｆに対して上下方向に移動させることができ、家具Ｆの接地状態を調整することができる。なお、前記家具Ｆの接地状態を調整した後は、必要に応じて、家具Ｆの工具挿入孔１３はメクラキャップＣ等で蓋をしておけるようにしている。
【符号の説明】
【００２６】
１  アジャスター本体
２  アジャスターボルト
２ａ  ネジ軸
２ｂ  接地部
３  係止爪体
３ａ  水平片
３ｂ  傾斜片
３ｃ  係止爪
３ｄ  取付爪
４  凸条枠部
４ａ  天面
４ｂ  垂下面
５ａ  前フランジ
５ｂ  後フランジ
５ｃ  左フランジ
５ｄ  右フランジ
７  取付孔
８  落し孔
１１ａ  前面
１１ｂ  後面
１１ｃ  左側面
１１ｄ  右側面
１１ｅ  底面
１２  折曲片
１２ａ  底面
１２ｂ  垂直面
１３  工具挿入孔
Ｆ  家具
Ｎ  固定ナット
【図１】
0003189585.tif 000003
【図２】
0003189585.tif 000004
【図３】
0003189585.tif 000005
【図４】
0003189585.tif 000006
【図５】
0003189585.tif 000007
【図６】
0003189585.tif 000008
【図７】
0003189585.tif 000009
【図８】
0003189585.tif 000010
【図９】
0003189585.tif 000011
【図１０】
0003189585.tif 000012
【図１１】
0003189585.tif 000013
【図１２】
0003189585.tif 000014
【図１３】
0003189585.tif 000015
【図１４】
0003189585.tif 000016